(57)【特許請求の範囲】
【請求項１】
送風機（４）と、該送風機（４）の吹出側を囲繞し且つ直線形状部（５ａ），（５ａ）・・と該直線形状部（５ａ），（５ａ）・・をつなぐ湾曲形状部（５ｂ），（５ｂ）・・とにより構成された略環状の熱交換器（５）と、該熱交換器（５）の下方部分（Ｘ）が挿入されるドレンパン（６）と、前記熱交換器（５）の中央部に位置する空気吸込口（７）から吸い込まれて前記熱交換器（５）を通過した調和空気（Ｗ）を室内へ吹き出すべく前記空気吸込口（７）を囲むようにして前記熱交換器（５）の直線形状部（５ａ），（５ａ）・・に対応して設けられた空気吹出口（８），（８）・・とを備えた空気調和機であって、前記ドレンパン（６）の下流側側壁（６ａ）であって前記熱交換器（５）における直線形状部（５ａ），（５ａ）・・に対応させた位置には、前記熱交換器（５）の下方部分（Ｘ）を通過した空気（ｗ）を前記空気吹出口（８），（８）・・の端部方向に誘導する空気誘導手段（１３）を設けるとともに、該空気誘導手段（１３）を、前記ドレンパン（６）における下流側側壁（６ａ）の上端より低い位置から前記熱交換器（５）側に突出し且つ上面が前記熱交換器（５）側に向かって下り勾配の傾斜面（１３ａ）とされた突条により構成したことを特徴とする空気調和機。
【請求項２】
送風機（４）と、該送風機（４）の吹出側を囲繞し且つ直線形状部（５ａ），（５ａ）・・と該直線形状部（５ａ），（５ａ）・・をつなぐ湾曲形状部（５ｂ），（５ｂ）・・とにより構成された略環状の熱交換器（５）と、該熱交換器（５）の下方部分（Ｘ）が挿入されるドレンパン（６）と、前記熱交換器（５）の中央部に位置する空気吸込口（７）から吸い込まれて前記熱交換器（５）を通過した調和空気（Ｗ）を室内へ吹き出すべく前記空気吸込口（７）を囲むようにして前記熱交換器（５）の直線形状部（５ａ），（５ａ）・・に対応して設けられた空気吹出口（８），（８）・・とを備えた空気調和機であって、前記ドレンパン（６）の下流側側壁（６ａ）であって前記熱交換器（５）における直線形状部（５ａ），（５ａ）・・に対応させた位置には、前記熱交換器（５）の下方部分（Ｘ）を通過した空気（ｗ）を前記空気吹出口（８），（８）・・の端部方向に誘導する空気誘導手段（１３）を設けるとともに、該空気誘導手段（１３）を、前記ドレンパン（６）における下流側側壁（６ａ）の内壁上端部と該下流側側壁（６ａ）の上端とに跨がって形成され且つ上面が前記熱交換器（５）側に向かって下り勾配の傾斜面（１３ａ）とされた突条により構成したことを特徴とする空気調和機。
【請求項３】
前記突条（１３）の長さをｍとし、前記空気吹出口（８）の開口長さをＭとした時、ｍ／Ｍ≧０．４に設定したことを特徴とする前記請求項１および２のいずれか一項記載の空気調和機。
【請求項４】
前記突条（１３）の先端と前記熱交換器（５）との間の距離をｄとし、前記熱交換器（５）と前記ドレンパン（６）における下流側側壁（６ａ）との間の距離をＤとした時、ｄ／Ｄ≦０．５に設定したことを特徴とする前記請求項１、２および３のいずれか一項記載の空気調和機。
【発明の詳細な説明】
【０００１】
【発明の属する技術分野】
【０００２】
本願発明は、室内機として使用される空気調和機に関するものである。
【従来の技術】
【０００３】
室内機として使用される空気調和機(例えば、カセット形室内機)は、図１および図９に示すように、天井Ｃに形成された開口Ａの上方において梁等（図示省略）に取り付けられた吊りボルトＴにより吊り下げ支持された空気調和機本体１と、該空気調和機本体１の下端に対して当接されるとともに前記開口Ａを覆う化粧パネル２とを備えて構成されている。前記空気調和機本体１は、横断面略八角形形状のケーシング３を備えており、該ケーシング３内には、送風機であるターボファン４と、該ターボファン４の吹出側を囲繞する略環状のクロスフィンコイル型の熱交換器５と、該熱交換器５からのドレンを受け止めるドレンパン６とが内蔵されている。前記熱交換器５は、四つの直線形状部５ａ，５ａ・・と該直線形状部５ａ，５ａ・・をつなぐ三つの湾曲形状部５ｂ，５ｂ，５ｂとにより構成されており、前記化粧パネル２には、中央部に位置する空気吸込口７と、該空気吸込口７を囲むようにして前記熱交換器５の直線形状部５ａ，５ａ・・に対応する４個の空気吹出口８，８・・とが形成されている。符号９はファンモータ、１０は吸込グリル、１１は熱交換器５の外周側に位置して化粧パネル２側の空気吹出口８，８・・と連通する吹出空気通路、１２は風向調整羽根である。
【０００４】
上記のような構成の空気調和機においては、熱交換器５における下方部分Ｘは、空気調和機本体１の高さ寸法を抑えたいという要求からドレンパン６内に挿入される場合が多い。
【発明が解決しようとする課題】
【０００５】
上記構成の空気調和機の場合、ターボファン４の駆動により空気吸込口７から吸い込まれた空気Ｗは、熱交換器５を通過する過程で冷却あるいは加熱されて調和空気となって吹出空気通路１１を経て空気吹出口８，８・・から室内へ吹き出されるが、図１０に示すように、ドレンパン６の内部に挿入されている熱交換器５の下方部分Ｘを通過した空気流れｗは、ドレンパン６における下流側側壁６ａを乗り越えることとなる。すると、ドレンパン６における下流側側壁６ａを乗り越える際に剥離ｅが生じて、熱交換器５の上方部分を通過した空気Ｗの主流の抵抗となり、送風音の上昇を招くこととなっている。
【０００６】
また、上記構成の空気調和機の場合、熱交換器５における湾曲形状部５ｂ，５ｂ，５ｂにおいては、曲げ加工を施したことによりフィンピッチが小さくなっているので、空気の流通抵抗が大きくなり、流れが悪くなっている。その結果、空気吹出口８，８・・の中央部お流れる空気の風速が大きくなり、送風音の上昇を招くこととなっている。
【０００７】
本願発明は、上記の点に鑑みてなされたもので、ドレンパン内に挿入されている熱交換器の下方部分を通過した空気を、空気吹出口の端部方向に誘導することにより、ドレンパンの下流側側壁における剥離を低減させるとともに、空気吹出口の端部における送風量を確保することで空気吹出口における送風分布の偏りを小さくして、送風音の低減を図ることを目的とするものである。
【課題を解決するための手段】
【０００８】
請求項１の発明では、上記課題を解決するための手段として、送風機４と、該送風機４の吹出側を囲繞し且つ直線形状部５ａ，５ａ・・と該直線形状部５ａ，５ａ・・をつなぐ湾曲形状部５ｂ，５ｂ・・とにより構成された略環状の熱交換器５と、該熱交換器５の下方部分Ｘが挿入されるドレンパン６と、前記熱交換器５の中央部に位置する空気吸込口７から吸い込まれて前記熱交換器５を通過した調和空気Ｗを室内へ吹き出すべく前記空気吸込口７を囲むようにして前記熱交換器５の直線形状部５ａ，５ａ・・に対応して設けられた空気吹出口８，８・・とを備えた空気調和機において、前記ドレンパン６の下流側側壁６ａであって前記熱交換器５における直線形状部５ａ，５ａ・・に対応させた位置に、前記熱交換器５の下方部分Ｘを通過した空気ｗを前記空気吹出口８，８・・の端部方向に誘導する空気誘導手段１３を設けるとともに、該空気誘導手段１３を、前記ドレンパン６における下流側側壁６ａの上端より低い位置から前記熱交換器５側に突出し且つ上面が前記熱交換器５側に向かって下り勾配の傾斜面１３ａとされた突条により構成している。
【０００９】
上記のように構成したことにより、ドレンパン６における下流側側壁６ａを乗り越える空気流れが大幅に低減されることとなって当該部分での剥離が大幅に小さくなる（換言すれば、調和空気Ｗの主流に対する抵抗が小さくなる）とともに、熱交換器５の下方部分Ｘを通過した空気ｗが空気吹出口８，８・・の端部方向に誘導されることで、空気吹出口８，８・・の端部側の風速が大きくなって空気吹出口８，８・・での風速の偏りが小さくなる。その結果、送風音の低減を図ることができる。しかも、熱交換器５を、直線形状部５ａ，５ａ・・と該直線形状部５ａ，５ａ・・をつなぐ湾曲形状部５ｂ，５ｂ・・とにより構成する一方、前記ドレンパン６の下流側側壁６ａであって前記熱交換器５における直線形状部５ａ，５ａ・・に対応させた位置に空気誘導手段１３を設けたことにより、送風音低減効果を十分確保することができる範囲に空気誘導手段１３を設けるだけでよいこととなり、構成が簡略となるとともに、空気誘導手段３により誘導された空気により空気が流れにくくなっている熱交換器湾曲形状部５ｂ，５ｂ・・から空気吹出口８，８・・に流れる空気が補充されることとなり、空気吹出口８，８・・での風速分布の偏りがより一層小さくなる。従って、送風音がより一層低減することとなる。また、空気誘導手段１３を、前記ドレンパン６における下流側側壁６ａの上端より低い位置から前記熱交換器５側に突出し且つ上面が前記熱交換器５側に向かって下り勾配の傾斜面１３ａとされた突条により構成したことにより、空気誘導手段１３の構成が簡略となるとともに、突条１３の傾斜面１３ａ上に落下したドレンは速やかにドレンパン６内に流下せしめられることとなり、水飛びに対する信頼性が向上する。
【００１０】
請求項２の発明では、上記課題を解決するための手段として、送風機４と、該送風機４の吹出側を囲繞し且つ直線形状部５ａ，５ａ・・と該直線形状部５ａ，５ａ・・をつなぐ湾曲形状部５ｂ，５ｂ・・とにより構成された略環状の熱交換器５と、該熱交換器５の下方部分Ｘが挿入されるドレンパン６と、前記熱交換器５の中央部に位置する空気吸込口７から吸い込まれて前記熱交換器５を通過した調和空気Ｗを室内へ吹き出すべく前記空気吸込口７を囲むようにして前記熱交換器５の直線形状部５ａ，５ａ・・に対応して設けられた空気吹出口８，８・・とを備えた空気調和機において、前記ドレンパン６の下流側側壁６ａであって前記熱交換器５における直線形状部５ａ，５ａ・・に対応させた位置に、前記熱交換器５の下方部分Ｘを通過した空気ｗを前記空気吹出口８，８・・の端部方向に誘導する空気誘導手段１３を設けるとともに、該空気誘導手段１３を、前記ドレンパン６における下流側側壁６ａの内壁上端部と該下流側側壁６ａの上端とに跨がって形成され且つ上面が前記熱交換器５側に向かって下り勾配の傾斜面１３ａとされた突条により構成している。
【００１１】
上記のように構成したことにより、ドレンパン６における下流側側壁６ａを乗り越える空気流れが大幅に低減されることとなって当該部分での剥離が大幅に小さくなる（換言すれば、調和空気Ｗの主流に対する抵抗が小さくなる）とともに、熱交換器５の下方部分Ｘを通過した空気ｗが空気吹出口８，８・・の端部方向に誘導されることで、空気吹出口８，８・・の端部側の風速が大きくなって空気吹出口８，８・・での風速の偏りが小さくなる。その結果、送風音の低減を図ることができる。しかも、熱交換器５を、直線形状部５ａ，５ａ・・と該直線形状部５ａ，５ａ・・をつなぐ湾曲形状部５ｂ，５ｂ・・とにより構成する一方、前記ドレンパン６の下流側側壁６ａであって前記熱交換器５における直線形状部５ａ，５ａ・・に対応させた位置に空気誘導手段１３を設けたことにより、送風音低減効果を十分確保することができる範囲に空気誘導手段１３を設けるだけでよいこととなり、構成が簡略となるとともに、空気誘導手段３により誘導された空気により空気が流れにくくなっている熱交換器湾曲形状部５ｂ，５ｂ・・から空気吹出口８，８・・に流れる空気が補充されることとなり、空気吹出口８，８・・での風速分布の偏りがより一層小さくなる。従って、送風音がより一層低減することとなる。また、空気誘導手段１３を、前記ドレンパン６における下流側側壁６ａの内壁上端部と該下流側側壁６ａの上端とに跨がって形成され且つ上面が前記熱交換器５側に向かって下り勾配の傾斜面１３ａとされた突条により構成したことにより、ドレンパン６における下流側側壁６ａの上端を整流化できるので、より低騒音化を図ることができるとともに、ドレンパン６との一体性および組立性も向上する。
【００１２】
請求項３の発明におけるように、請求項１および２のいずれか一項記載の空気調和機において、前記突条１３の長さをｍとし、前記空気吹出口８の開口長さをＭとした時、ｍ／Ｍ≧０．４に設定した場合、突条１３を設けたことによる送風音低減効果を十分確保することができる。なお、ｍ／Ｍ＜０．４の場合には、ドレンパン６の下流側側壁６ａを乗り越える空気流れｗが多く存在することとなり、十分な送風音低減効果が得られない（図５参照）。
【００１３】
請求項４の発明におけるように、請求項１、２および３のいずれか一項記載の空気調和機において、前記突条１３の先端と前記熱交換器５との間の距離をｄとし、前記熱交換器５と前記ドレンパン６における下流側側壁６ａとの間の距離をＤとした時、ｄ／Ｄ≦０．５に設定した場合、突条１３を設けたことによる送風音低減効果を十分確保することができる。なお、ｄ／Ｄ＞０．５の場合には、ドレンパン６の下流側側壁６ａを乗り越える空気流れｗが多く存在することとなり、十分な送風音低減効果が得られない（図６参照）。
【発明の実施の形態】
【００１４】
以下、添付の図面を参照して、本願発明の幾つかの好適な実施の形態について詳述する。
【００１５】
第１の実施の形態
図１ないし図４には、本願発明の第１の実施の形態にかかる空気調和機が示されている。
【００１６】
この空気調和機は、天井埋込式空気調和機用室内機とされており、従来技術の項において説明したものとほぼ同様な構造を有している。
【００１７】
即ち、この空気調和機は、図１および図２に示すように、天井Ｃに形成された開口Ａの上方において梁等（図示省略）に取り付けられた吊りボルトにより吊り下げ支持された空気調和機本体１と、該空気調和機本体１の下端に対して当接されるとともに前記開口Ａを覆う化粧パネル２とを備えて構成されている。前記空気調和機本体１は、横断面略八角形形状のケーシング３を備えており、該ケーシング３内には、送風機であるターボファン４と、該ターボファン４の吹出側を囲繞する略環状のクロスフィンコイル型の熱交換器５と、該熱交換器５からのドレンを受け止めるドレンパン６とが内蔵されている。前記熱交換器５は、四つの直線形状部５ａ，５ａ・・と該直線形状部５ａ，５ａ・・をつなぐ三つの湾曲形状部５ｂ，５ｂ，５ｂとにより構成されており、前記化粧パネル２には、中央部に位置する空気吸込口７と、該空気吸込口７を囲むようにして前記熱交換器５の直線形状部５ａ，５ａ・・に対応する４個の空気吹出口８，８・・とが形成されている。符号９はファンモータ、１０は吸込グリル、１１は熱交換器５の外周側に位置して化粧パネル２側の空気吹出口８，８・・と連通する吹出空気通路、１２は風向調整羽根である。
【００１８】
そして、図３および図４に示すように、前記熱交換器５の下方部分Ｘは、前記ドレンパン６の内部に挿入されており、該ドレンパン６の下流側側壁６ａには、前記熱交換器５の下方部分Ｘを通過した空気ｗを前記空気吹出口８，８・・の端部方向に誘導する空気誘導手段１３が設けられている。該空気誘導手段１３は、前記ドレンパン６における下流側側壁６ａの上端より低い位置から前記熱交換器５側に突出し且つ上面が前記熱交換器５側に向かって下り勾配の傾斜面１３ａとされた突条により構成されている。該突条１３は、熱交換器５の直線形状部５ａに対応させて形成されている。
【００１９】
上記のように構成したことにより、ドレンパン６における下流側側壁６ａを乗り越える空気流れが大幅に低減されることとなって当該部分での剥離が大幅に小さくなる（換言すれば、調和空気Ｗの主流に対する抵抗が小さくなる）とともに、熱交換器５の下方部分Ｘを通過した空気ｗが空気吹出口８，８・・の端部方向に誘導された後、空気吹出口８，８・・の端部から室内へ吹き出されることで、空気吹出口８，８・・の端部側の風速が大きくなって空気吹出口８，８・・での風速の偏りが小さくなる。その結果、送風音の低減を図ることができる。
【００２０】
しかも、空気誘導手段１３は、前記ドレンパン６における下流側側壁６ａの上端より低い位置から前記熱交換器５側に突出し且つ上面が前記熱交換器５側に向かって下り勾配の傾斜面１３ａとされた突条により構成されているので、空気誘導手段１３の構成が簡略となるとともに、突条１３の傾斜面１３ａ上に落下したドレンは速やかにドレンパン６内に流下せしめられることとなり、水飛びに対する信頼性が向上する。
【００２１】
さらに、前記空気誘導手段１３である突条を、前記熱交換器５における直線形状部５ａ，５ａ・・に対応させて設けているため、送風音低減効果を十分確保することができる範囲に突条１３を設けるだけでよいこととなり、構成が簡略となるとともに、突条３により誘導された空気により空気が流れにくくなっている熱交換器湾曲形状部５ｂ，５ｂ・・から空気吹出口８，８・・に流れる空気が補充されることとなり、空気吹出口８，８・・での風速分布の偏りがより一層小さくなる。従って、送風音がより一層低減することとなる。
【００２２】
ところで、本実施の形態においては、空気誘導手段である突条１３を、前記熱交換器５における直線形状部５ａ，５ａ・・に対応させて設けているが、突条１３の長さをｍとし、前記空気吹出口８の開口長さをＭとして、両者の比ｍ／Ｍを種々変化させて送風音テストを行ったところ、図５に示す結果が得られた。
【００２３】
これによれば、ｍ／Ｍ≧０．４の範囲において、突条１３を設けたことによる送風音低減効果が十分得られることが分かる。また、ｍ／Ｍ＞０．８の範囲では、突条１３による送風音低減効果がほぼ飽和してしまうこととなっているため、０．４≦ｍ／Ｍ≦０．８の範囲とするのが望ましい。なお、ｍ／Ｍ＜０．４の場合には、ドレンパン６の下流側側壁６ａを乗り越える空気流れｗが多く存在することとなり、十分な送風音低減効果が得られない。
【００２４】
また、前記空気誘導手段である突条１３の先端と前記熱交換器５との間の距離をｄとし、前記熱交換器５と前記ドレンパン６における下流側側壁６ａとの間の距離をＤとして、両者の比ｄ／Ｄ≦０．５を種々変化させて送風音テストを行ったところ、図６に示す結果が得られた。
【００２５】
これによれば、ｄ／Ｄ≦０．５の範囲において、突条１３を設けたことによる送風音低減効果が十分得られることが分かる。なお、ｄ／Ｄ＞０．５の場合には、ドレンパン６の下流側側壁６ａを乗り越える空気流れｗが多く存在することとなり、十分な送風音低減効果が得られない。ところで、このテストにおいては、ｄ／Ｄ＜０．１については結果が記載されていないが、本来、空気誘導手段としての作用効果はｄ＝０が最大となるはずである。ところが、ｄ／Ｄ＜０．１の場合には、突条１３の先端と熱交換器５との間の距離が近くなり過ぎて、ドレンパン６ないへの熱交換器５の設置作業が困難となるため、当該範囲をテストから除外しているだけである。
【００２６】
第２の実施の形態
図７および図８には、本願発明の第２の実施の形態にかかる空気調和機が示されている。
【００２７】
この場合、空気誘導手段１３は、ドレンパン６における下流側側壁６ａの内壁上端部と該下流側側壁６ａの上端とに跨がって形成され且つ上面が熱交換器５側に向かって下り勾配の傾斜面１３ａとされた突条により構成されている。このようにすると、ドレンパン６における下流側側壁６ａの上端を整流化できるので、より低騒音化を図ることができるとともに、ドレンパン６との一体性および組立性も向上する。その他の構成および作用効果は、第１の実施の形態におけると同様なので説明を省略する。
【００２８】
上記各実施の形態においては、空気誘導手段である突条をドレンパンと別体構成としているが、ドレンパンを構成する発泡スチロールの成形時に一体成形する場合もある。
【発明の効果】
【００２９】
請求項１の発明によれば、送風機４と、該送風機４の吹出側を囲繞し且つ直線形状部５ａ，５ａ・・と該直線形状部５ａ，５ａ・・をつなぐ湾曲形状部５ｂ，５ｂ・・とにより構成された略環状の熱交換器５と、該熱交換器５の下方部分Ｘが挿入されるドレンパン６と、前記熱交換器５の中央部に位置する空気吸込口７から吸い込まれて前記熱交換器５を通過した調和空気Ｗを室内へ吹き出すべく前記空気吸込口７を囲むようにして前記熱交換器５の直線形状部５ａ，５ａ・・に対応して設けられた空気吹出口８，８・・とを備えた空気調和機において、前記ドレンパン６の下流側側壁６ａであって前記熱交換器５における直線形状部５ａ，５ａ・・に対応させた位置に、前記熱交換器５の下方部分Ｘを通過した空気ｗを前記空気吹出口８，８・・の端部方向に誘導する空気誘導手段１３を設けるとともに、該空気誘導手段１３を、前記ドレンパン６における下流側側壁６ａの上端より低い位置から前記熱交換器５側に突出し且つ上面が前記熱交換器５側に向かって下り勾配の傾斜面１３ａとされた突条により構成して、ドレンパン６における下流側側壁６ａを乗り越える空気流れが大幅に低減されることとなって当該部分での剥離が大幅に小さくなる（換言すれば、調和空気Ｗの主流に対する抵抗が小さくなる）とともに、熱交換器５の下方部分Ｘを通過した空気ｗが空気吹出口８，８・・の端部方向に誘導されることで、空気吹出口８，８・・の端部側の風速が大きくなって空気吹出口８，８・・での風速の偏りが小さくなるようにしたので、送風音の低減を図ることができるという効果がある。しかも、熱交換器５を、直線形状部５ａ，５ａ・・と該直線形状部５ａ，５ａ・・をつなぐ湾曲形状部５ｂ，５ｂ・・とにより構成する一方、前記ドレンパン６の下流側側壁６ａであって前記熱交換器５における直線形状部５ａ，５ａ・・に対応させた位置に空気誘導手段１３を設けているので、送風音低減効果を十分確保することができる範囲に空気誘導手段１３を設けるだけでよいこととなり、構成が簡略となるとともに、空気誘導手段３により誘導された空気により空気が流れにくくなっている熱交換器湾曲形状部５ｂ，５ｂ・・から空気吹出口８，８・・に流れる空気が補充されることとなり、空気吹出口８，８・・での風速分布の偏りがより一層小さくなる。従って、送風音がより一層低減することとなるという効果もある。また、空気誘導手段１３を、前記ドレンパン６における下流側側壁６ａの上端より低い位置から前記熱交換器５側に突出し且つ上面が前記熱交換器５側に向かって下り勾配の傾斜面１３ａとされた突条により構成しているので、空気誘導手段１３の構成が簡略となるとともに、突条１３の傾斜面１３ａ上に落下したドレンは速やかにドレンパン６内に流下せしめられることとなり、水飛びに対する信頼性が向上するという効果もある。
【００３０】
請求項２の発明によれば、送風機４と、該送風機４の吹出側を囲繞し且つ直線形状部５ａ，５ａ・・と該直線形状部５ａ，５ａ・・をつなぐ湾曲形状部５ｂ，５ｂ・・とにより構成された略環状の熱交換器５と、該熱交換器５の下方部分Ｘが挿入されるドレンパン６と、前記熱交換器５の中央部に位置する空気吸込口７から吸い込まれて前記熱交換器５を通過した調和空気Ｗを室内へ吹き出すべく前記空気吸込口７を囲むようにして前記熱交換器５の直線形状部５ａ，５ａ・・に対応して設けられた空気吹出口８，８・・とを備えた空気調和機において、前記ドレンパン６の下流側側壁６ａであって前記熱交換器５における直線形状部５ａ，５ａ・・に対応させた位置に、前記熱交換器５の下方部分Ｘを通過した空気ｗを前記空気吹出口８，８・・の端部方向に誘導する空気誘導手段１３を設けるとともに、該空気誘導手段１３を、前記ドレンパン６における下流側側壁６ａの内壁上端部と該下流側側壁６ａの上端とに跨がって形成され且つ上面が前記熱交換器５側に向かって下り勾配の傾斜面１３ａとされた突条により構成して、ドレンパン６における下流側側壁６ａを乗り越える空気流れが大幅に低減されることとなって当該部分での剥離が大幅に小さくなる（換言すれば、調和空気Ｗの主流に対する抵抗が小さくなる）とともに、熱交換器５の下方部分Ｘを通過した空気ｗが空気吹出口８，８・・の端部方向に誘導されることで、空気吹出口８，８・・の端部側の風速が大きくなって空気吹出口８，８・・での風速の偏りが小さくなるようにしたので、送風音の低減を図ることができるという効果がある。しかも、熱交換器５を、直線形状部５ａ，５ａ・・と該直線形状部５ａ，５ａ・・をつなぐ湾曲形状部５ｂ，５ｂ・・とにより構成する一方、前記ドレンパン６の下流側側壁６ａであって前記熱交換器５における直線形状部５ａ，５ａ・・に対応させた位置に空気誘導手段１３を設けているので、送風音低減効果を十分確保することができる範囲に空気誘導手段１３を設けるだけでよいこととなり、構成が簡略となるとともに、空気誘導手段３により誘導された空気により空気が流れにくくなっている熱交換器湾曲形状部５ｂ，５ｂ・・から空気吹出口８，８・・に流れる空気が補充されることとなり、空気吹出口８，８・・での風速分布の偏りがより一層小さくなって、送風音がより一層低減することとなるという効果もある。また、空気誘導手段１３を、前記ドレンパン６における下流側側壁６ａの内壁上端部と該下流側側壁６ａの上端とに跨がって形成され且つ上面が前記熱交換器５側に向かって下り勾配の傾斜面１３ａとされた突条により構成しているので、ドレンパン６における下流側側壁６ａの上端を整流化できることとなり、より低騒音化を図ることができるとともに、ドレンパン６との一体性および組立性も向上するという効果もある。
【００３１】
請求項３の発明におけるように、請求項１および２のいずれか一項記載の空気調和機において、前記突条１３の長さをｍとし、前記空気吹出口８の開口長さをＭとした時、ｍ／Ｍ≧０．４に設定した場合、突条１３を設けたことによる送風音低減効果を十分確保することができる。なお、ｍ／Ｍ＜０．４の場合には、ドレンパン６の下流側側壁６ａを乗り越える空気流れｗが多く存在することとなり、十分な送風音低減効果が得られない（図５参照）。
【００３２】
請求項４の発明におけるように、請求項１、２および３のいずれか一項記載の空気調和機において、前記突条１３の先端と前記熱交換器５との間の距離をｄとし、前記熱交換器５と前記ドレンパン６における下流側側壁６ａとの間の距離をＤとした時、ｄ／Ｄ≦０．５に設定した場合、突条１３を設けたことによる送風音低減効果を十分確保することができる。なお、ｄ／Ｄ＞０．５の場合には、ドレンパン６の下流側側壁６ａを乗り越える空気流れｗが多く存在することとなり、十分な送風音低減効果が得られない（図６参照）。
【図面の簡単な説明】
【図１】  本願発明の第１の実施の形態にかかる空気調和機の縦断面図である。
【図２】  本願発明の第１の実施の形態にかかる空気調和機のケーシング天板を除いた平面図である。
【図３】  本願発明の第１の実施の形態にかかる空気調和機における要部拡大断面図である。
【図４】  本願発明の第１の実施の形態にかかる空気調和機における要部拡大斜視図である。
【図５】  本願発明の第１の実施の形態にかかる空気調和機において突条の長さｍと空気吹出口の開口長さＭとの比を種々変化させて行った送風音テストの結果を示す特性図である。
【図６】  本願発明の第１の実施の形態にかかる空気調和機において突条の先端と熱交換器との間の距離ｄと、熱交換器とドレンパンにおける下流側側壁との間の距離Ｄとの比を種々変化させて行った送風音テストの結果を示す特性図である。
【図７】  本願発明の第２の実施の形態にかかる空気調和機における要部拡大断面図である。
【図８】  本願発明の第２の実施の形態にかかる空気調和機における要部拡大斜視図である。
【図９】  従来の空気調和機のケーシング天板を除いた平面図である。
【図１０】  従来の空気調和機における要部拡大断面図である。
【符号の説明】
１は空気調和機本体、２は化粧パネル、３はケーシング、４は送風機（ターボファン）、５は熱交換器、５ａは直線形状部、５ｂは湾曲形状部、６はドレンパン、６ａは下流側側壁、７は空気吸込口、８は空気吹出口、１３は空気誘導手段（突条）、１３ａは傾斜面、Ｗ，ｗは空気流。
【図１】
0004649742.tif 000002
【図２】
0004649742.tif 000003
【図３】
0004649742.tif 000004
【図４】
0004649742.tif 000005
【図５】
0004649742.tif 000006
【図６】
0004649742.tif 000007
【図７】
0004649742.tif 000008
【図８】
0004649742.tif 000009
【図９】
0004649742.tif 000010
【図１０】
0004649742.tif 000011